(57)【特許請求の範囲】
【請求項１】
ケース上面には電路を開閉する操作ハンドルを有し、前記ケースの一方の面には電源側端子を、対向する面には負荷側端子を設けた回路遮断器において、前記負荷側端子は三つの端子を速結端子にて構成し、負荷側端子に封印カバーを設け、該封印カバーで前記負荷側端子の三つの端子のうち一つを被覆し残った二つの端子に電線を接続することを特徴とする回路遮断器。
【請求項２】
前記回路遮断器において、前記封印カバーに透孔を設けると共に、前記端子近傍の前記封印カバーの透孔に対向する位置に印を付し、電圧表示を可能としたことを特徴とする請求項１に記載の回路遮断器。
【発明の詳細な説明】
【技術分野】
【０００１】
本発明は、ケース上面には電路を開閉する操作ハンドルを有し、ケースの一方の面には電源側端子を、対向する面には負荷側端子を設けた回路遮断器に関するものである。
【背景技術】
【０００２】
従来、回路遮断器において電圧切り替えは、回路遮断器に接続される導電バーで行われていた。しかしながら、最近では分電盤の省スペース化が望まれ、回路遮断器も薄型となり、回路遮断器に導電バーを接続するスペースも減ってきており、導電バーでの電圧切り替えが困難になってきている。
【０００３】
そこで、回路遮断器内で電圧切り替えが可能であるものが考え出された。電源側端子の一つを可動とし端子を移動することで電圧切り替えを行うものである。
【非特許文献１】２００５カワムラ総合カタログ電設資材編  平成１７年５月１日発行
【特許文献１】特開２００１−３５３４１号公報
【発明の開示】
【発明が解決しようとする課題】
【０００４】
しかしながら上記端子を可動とした回路遮断器では、電圧切り替えの機構が回路遮断器のケース内部に配置されているため、電圧切り替えの際には分電盤から回路遮断器を取り外して、回路遮断器のケースを開け、端子の移動作業を行わなくてはならないため、作業性が悪く、面倒である。
【課題を解決するための手段】
【０００５】
そこで本発明は、電圧切り替え作業が容易で、省スペースで配置可能である回路遮断器を提供することを目的とし、その構造は、負荷側端子は三つの端子を速結端子にて構成し、負荷側端子に封印カバーを設け、封印カバーで負荷側端子の三つの端子のうち一つを被覆し残った二つの端子に電線を接続することを特徴とする。
【０００６】
また、封印カバーに透孔を設けると共に、端子近傍の前記封印カバーの透孔に対向する位置に印を付し、電圧表示を可能としたことを特徴とする。
【発明の効果】
【０００７】
本発明に係る回路遮断器は、負荷側端子は三つの端子を速結端子にて構成し、負荷側端子に封印カバーを設け、三つの端子のうち一つを被覆し残った二つの端子に電線を接続するため、回路遮断器を分電盤から取り外すことなく電圧切り替え作業が行え、作業性を向上させることができる。導電バーでの電圧切り替えではないので、そのスペースが不要となり分電盤を小型化できる。封印カバーで端子を被覆するので、誤結線がなくなる。
【０００８】
また、封印カバーに透孔を設けると共に、端子近傍の前記封印カバーの透孔に対向する位置に印を付し、電圧表示を可能としたため、電圧状態が認識できる。
【発明を実施するための最良の形態】
【０００９】
簡単に電圧切り替えができる回路遮断器を提供するという目的を、最小の部品点数で、回路遮断器の大きさも大きくすることなく実現した。
【実施例１】
【００１０】
本発明に係る回路遮断器の実施例を図１の添付図面に基づいて説明する。
【００１１】
回路遮断器１は、ケース２の上面に電路を開閉する操作ハンドル３を設け、ケース２の一方の面に電源側端子４を、対向する他方の面には負荷側端子５を配置する。単相３線式の電路に使用可能であり、電源側端子４、負荷側端子５それぞれＮ極端子、Ｌ１極端子、Ｌ２極端子の３つずつ端子が設けられる。負荷側端子５は速結端子で構成され、電線６を端子に差し込むと速結ばね７により固定される構造である。
【００１２】
負荷側端子５の中央の端子は、Ｎ極端子５ａで、このＮ極端子５ａを挟んでＬ１極端子５ｂ、Ｌ２極端子５ｃが配置される。また、負荷側端子５の表面には移動可能である封印カバー８を取り付ける。封印カバー８は３極の端子のうち１極を被覆するもので、回路遮断器１の側面に係止させると共に、スライド移動可能である。
【００１３】
１００Ｖの電圧を選択する場合には、封印カバー８で上側または下側の端子（Ｌ１極端子５ｂ、Ｌ２極端子５ｃ）を被覆し、中央のＮ極端子５ａと封印カバー８で被覆されていないＬ１極端子５ｂまたはＬ２極端子５ｃに電線を接続する。また、２００Ｖへの電圧切り替えは、中央のＮ極端子５ａを封印カバー８で被覆し上下の端子（Ｌ１極端子５ｂ、Ｌ２極端子５ｃ）を接続する。
【００１４】
封印カバー８は一つの端子を封印できる大きさで形成され、例えば、図１に示す端子正面図のように、封印カバー８が端子と端子の中間に置かれた場合でも、一つの端子の少なくとも一部を被覆し、三つの端子のうち二つにしか電線が接続されないようにする。
【００１５】
電源側端子４からはＮ極端子４ａ、Ｌ１極端子４ｂ、Ｌ２極端子４ｃの３極とも負荷側端子５へ通電される。負荷側端子５で電圧切り替えを行うため、負荷側端子５の部分に使用しない端子に封印カバー８を取り付けて任意の電圧がとれるようにし、誤って電圧切り替えが行われないようにする。
【００１６】
回路遮断器１のケース２の外側に封印カバー８を取り付けることにより、電圧切り替えを行うので、電圧切り替えのために分電盤から回路遮断器１を取り外すことなく、作業が行え、作業効率が向上する。
【００１７】
従来の分電盤のように、導電バーを切り替えて電圧切り替えを行うものと比べて、省スペースとなり、分電盤のキャビネットを小さくできる。
【００１８】
回路遮断器１のケース２の外に電圧切り替えを正確に行う封印カバー８を取り付けるので、ケース２は、電圧の異なるものでも共用することができる。
【実施例２】
【００１９】
封印カバー９に透孔１０を設ける。図２においては、左右に切り欠き１１を設けて透孔１０とする。一方の切り欠き１１近傍に２００Ｖを、他方の切り欠き１１近傍に１００Ｖの表示を施す。また、回路遮断器１２の負荷側端子１３のうち上下に位置するＬ１極端子１３ｂと、Ｌ２極端子１３ｃの近傍には、封印カバー９の１００Ｖと表示された切り欠き１１に対向する位置に丸印１４を付し、また、Ｎ極端子の近傍には、封印カバー９の２００Ｖと表示された切り欠き１１に対向する位置に丸印１４を付し封印カバー９で現在の回路遮断器１２の電圧を表示する。例えば、封印カバー９でＮ極端子を被覆した場合、上下のＬ１極端子１３ｂとＬ２極端子１３ｃとを接続することになり、その電圧は２００Ｖとなる。封印カバー９はＮ極端子の位置にあり、２００Ｖと表示された切り欠き１１から丸印１４が確認できる。
【００２０】
電圧表示は上記切り欠き１１に丸印１５で示すことに限定されるものではなく、透孔は切り抜いたものでも、よくまた、電圧表示の文字を透孔に対向する位置に表示するというものでもよく、本発明の趣旨を逸脱しない範囲において適宜変更可能である。
【産業上の利用可能性】
【００２１】
回路遮断器のケース外側に端子プレートを取り付けて、電線または導電バーの端子への接続を制限することにより電圧切り替えを行い、回路遮断器は簡単な構造で製作でき、電圧切り替え作業も容易にできる。
【図面の簡単な説明】
【００２２】
【図１】回路遮断器の実施例を示す説明図である。（実施例１）
【図２】回路遮断器の第二実施例を示す説明図である。（実施例２）
【符号の説明】
【００２３】
１      回路遮断器
２      ケース
３      操作ハンドル
４      電源側端子
４ａ    Ｎ極端子
４ｂ    Ｌ１極端子
４ｃ    Ｌ２極端子
５      負荷側端子
５ａ    Ｎ極端子
５ｂ    Ｌ１極端子
５ｃ    Ｌ２極端子
６      電線
７      速結ばね
８      封印カバー
９      封印カバー
１０    透孔
１１    切り欠き
１２    回路遮断器
１３    負荷側端子
１３ａ  Ｎ極端子
１３ｂ  Ｌ１極端子
１３ｃ  Ｌ２極端子
１４    丸印
【図１】
0004693165.tif 000002
【図２】
0004693165.tif 000003